(57)【特許請求の範囲】
【請求項１】
脈管内の所定部位にコイルを配置するために使用する脈管内閉塞コイル配備システムにおいて、
細長い柔軟性を有するカテーテルからなり、当該カテーテルがその長さ全体に延在する内孔部と、基端部分および先端部分を有しており、このカテーテルの先端部分が、当該カテーテルの内部に一定の流体圧力が加わるとカテーテルの先端部分の壁部が外側に拡張するような特性を呈し得るジュロメータを有する材料により形成されており、さらに、
前記カテーテルの基端部分に連結して、当該カテーテルの内部に一定の流体圧力を加えて前記カテーテルの先端部分を外側に拡張するためのシリンジと、
前記カテーテルの先端部分の内孔部の中に液密係合状態で配置される塞栓コイルとからなり、当該コイルが基端部、先端部およびこれらの間に延在する内孔部を有する固く巻かれた螺旋状コイルからなり、シールプラグがコイルの基端部においてコイル内孔部内に液密係合状態で配置されており、サポートワイヤがコイルの長さよりも実質的に短い長さでコイル内孔部の中心軸に沿って延在しており、当該サポートワイヤの一端部がシールプラグに固定して取り付けられており、当該サポートワイヤの他端部がコイルの先端部から実質的に離れた一定の位置における内孔部壁の一点においてコイルに固定して取り付けられていることを特徴とするシステム。
【請求項２】
脈管内の所定部位にコイルを配置するために使用する脈管内閉塞コイル配備システムにおいて、
細長い柔軟性を有するカテーテルからなり、当該カテーテルがその長さ全体に延在する内孔部と、基端部分および先端部分を有しており、このカテーテルの先端部分が、当該カテーテルの内部に約９０ｐｓｉ乃至４５０ｐｓｉの流体圧力が加わるとカテーテルの先端部分の壁部が外側に拡張するような特性を呈し得るジュロメータを有する材料により形成されており、さらに、
前記カテーテルの基端部分に連結して、当該カテーテルの内部に一定の流体圧力を加えて前記カテーテルの先端部分を外側に拡張するためのピストンと、
前記カテーテルの先端部分の内孔部の中に液密係合状態で配置される塞栓コイルとからなり、当該コイルが基端部、先端部およびこれらの間に延在する内孔部を有する固く巻かれた螺旋状コイルからなり、シールプラグがコイルの基端部においてコイル内孔部内に液密係合状態で配置されており、サポートワイヤがコイルの長さよりも実質的に短い長さでコイル内孔部の中心軸に沿って延在しており、当該サポートワイヤの一端部がシールプラグに固定して取り付けられており、当該サポートワイヤの他端部がコイルの先端部から実質的に離れた一定の位置における内孔部壁の一点においてコイルに固定して取り付けられていることを特徴とするシステム。
【請求項３】
脈管内の所定部位にコイルを配置するために使用する脈管内閉塞コイル配備システムにおいて、
細長い柔軟性を有するカテーテルからなり、当該カテーテルがその長さ全体に延在する内孔部と、基端部分および先端部分を有しており、このカテーテルの先端部分が、当該カテーテルの内部に約９０ｐｓｉ乃至４５０ｐｓｉの流体圧力が加わるとカテーテルの先端部分の壁部が外側に拡張するような特性を呈し得るジュロメータを有する材料により形成されており、さらに、
前記カテーテルの基端部分に連結して、当該カテーテルの内部に一定の流体圧力を加えて前記カテーテルの先端部分を外側に拡張するための液体圧力発生装置と、
前記カテーテルの先端部分の内孔部の中に液密係合状態で配置される塞栓コイルとからなり、当該コイルが基端部、先端部およびこれらの間に延在する内孔部を有する固く巻かれた螺旋状コイルからなり、シールプラグがコイルの基端部においてコイル内孔部内に液密係合状態で配置されており、サポートワイヤがコイルの長さよりも実質的に短い長さでコイル内孔部の中心軸に沿って延在しており、当該サポートワイヤの一端部がシールプラグに固定して取り付けられており、当該サポートワイヤの他端部がコイルの先端部から実質的に離れた一定の位置における内孔部壁の一点においてコイルに固定して取り付けられていることを特徴とするシステム。
【発明の詳細な説明】
【０００１】
【発明の属する技術分野】
本発明は塞栓コイルを人体の脈管内の所定の場所に配置するための医療用装置に関し、特に、血管内の所定の位置に塞栓コイルを移送するために当該コイルを保持するための先端部を有するカテーテルと、所定の位置において塞栓コイルを解放する制御機構に関する。
【０００２】
【従来の技術および発明が解決しようとする課題】
多年にわたって柔軟なカテーテルが人体の脈管内に種々の装置を配置するために使用されてきた。このような装置には、拡張バルーン、放射線不透過性流体、液体薬物およびバルーンや塞栓コイルのような種々の閉塞装置が含まれる。このようなカテーテル装置の例が「塞栓コイルの配置方法および装置（Method And Apparatus For Placement Of An Embolic Coil）」と題する米国特許第５，１０８，４０７号および「動脈、静脈、動脈瘤、脈管異形および動静脈瘻における血栓の電気形成のための脈管内電解的着脱自在ガイドワイヤ先端部（Endovascular Electrolytically Detachable Guidewire Tip For The Electroformation Of Thrombus In Arteries, Veins, Aneurysms, Vascular Malformations And Arteriovenous Fistulas）」と題する米国特許第５，１２２，１３６号に開示されている。すなわち、これらの特許は、動脈瘤の治療または特定の場所における血管の閉塞のために、人体の脈管内の所定位置に塞栓コイルを移送するための装置を開示している。
【０００３】
脈管内に配置されるコイルは螺旋状に巻かれたコイルの形態でもよく、あるいは、不規則に巻かれたコイル、他のコイルの中に巻かれたコイルまたはその他のコイル状の構成を有していてもよい。種々のコイルの形態の例が「脈管閉塞組立体（Vascular Occlusion Assembly）」と題する米国特許第５，３３４，２１０号および「付属管状織物または編んだ繊維被覆材による脈管閉塞コイル（Vasoocclusion Coil With Attached Tubular Woven Or Braided Fibrous Coverings）」と題する米国特許第５，３８２，２５９号に開示されている。塞栓コイルは一般にプラチナ、金、タングステンまたはこれらの金属合金のような放射線不透過性の金属材料により形成される。また、幾つかのコイルを任意の場所に配置して、その特定の場所において血栓形成を促進することにより血管内の血流を閉塞する場合がしばしばある。
【０００４】
これまで、塞栓コイルはカテーテルの先端部の中に収納されていて、カテーテルの先端部が適正に配置されると、このコイルが、例えばガイドワイヤにより、カテーテルの端部から押出されて、コイルが所望の場所に放出される。このような塞栓コイルの配置手順は蛍光透視下に行われて、人体の脈管内のコイルの移動がモニターでき、そのコイルを所望の場所に配置できるようになっている。このような配置システムによって、コイルがカテーテルの端部から幾分離れた距離の位置に放出できるので、コイルを正確に配置する上で極めて少ない制御しか行えない。もちろん、このようなシステムを使用する場合は、コイルをカテーテルから放出すると、不可能でないまでも、コイルを回収したりその位置を変えることが困難である。
【０００５】
脈管内にコイルをより正確に配置可能にするための多くの手法が開発されてきた。このようなさらに別の手法には、コイルを血管内の所定位置に配置するために柔軟性カテーテル内に配置されたガイドワイヤに塞栓コイルを取り付けるための接着剤またははんだ付けの使用が含まれる。この場合、コイルが所望位置に到達すると、コイルがカテーテルにより拘束されて、ガイドワイヤがカテーテルの基端部から引き戻され、これによって、コイルがガイドワイヤから分離してカテーテルシステムから放出される。このようなコイル配置システムが「同軸牽引分離装置および同軸牽引分離方法（Coaxial Traction Detachment Apparatus And Method）」と題する米国特許第５，２６３，９６４号に開示されている。
【０００６】
また、別のコイル配置システムはコイルの基端部に結合するボールを保持するためのカテーテル先端部におけるソケットを有するカテーテルを利用している。このボールは、コイルの外径よりも大きな直径を有しており、カテーテルの先端部における内孔の中でソケット内に収容されていて、カテーテルが脈管内に移動してコイルが所望位置に配置される。その位置に到達すると、端部にピストンを備える押圧ワイヤがカテーテルの基端部から先端側に押し出されて、ボールがソケットから押し出され、コイルが所望の位置に放出される。このようなシステムが「軸方向に分離可能な塞栓コイル組立体（Axially Detachable Embolic Coil Assembly）」と題する米国特許第５，３５０，３９７号に開示されている。このようなカテーテルの全長にわたって延在してカテーテルの先端部においてソケットとの係合からボールを押し外すのに十分な剛性を有する押圧ワイヤを利用するコイル配置システムには、当該押圧ワイヤが本質的にカテーテルの剛性をかなり高くするために、カテーテルを人体の脈管内に案内することが極めて困難になるという問題があった。
【０００７】
さらに、塞栓コイルを配置するための別の方法はカテーテルの先端部においてコイルを保持するための熱剥離性接着剤を利用している。このようなシステムの一例においては、レーザーエネルギーが光ファイバーケーブルを通して伝送されて、カテーテルの端部からコイルを放出するためにその接着剤を加熱する。このような方法が塞栓コイルの配置方法および装置（Method And Apparatus For Placement Of An Embolic Coil）」と題する米国特許第５，１０８，４０７号に開示されている。しかしながら、このようなシステムもまたカテーテルの全長にわたって延在してカテーテルの剛性を高める別の構成要素を必要とするという問題があった。
【０００８】
また、塞栓コイルを配置するための別の方法が、本特許出願と同一出願人により１９９８年１０月２１日に出願された「塞栓コイル液圧式配備システム（Embolic Coil Hydraulic Deployment System）」と題する同時係属米国特許出願第０９／１７７，８４８号に開示されている。この特許出願は塞栓コイルを放出するための内孔部を拡張するためにカテーテルの先端部に加える圧力の使用を開示している。
【０００９】
さらに、種々の塞栓コイル構成が「抗延伸性脈管閉塞コイル（Stretch Resistant Vaso-occlusive Coils）」と題する米国特許第５，８５３，４１８号に開示される抗延伸性脈管閉塞コイルのようなコイル配備システムを伴う使用において提案されている。すなわち、この特許は螺旋状に巻いたコイルを開示しており、ポリマーからなる抗延伸部材がこのコイルの内孔部の中に延在していて、当該コイルの先端部および基端部の両方に固定されている。この抗延伸部材は使用時にコイルが延伸されるのを防ぐが、コイルの全長にわたって延在するこの部材によって、コイルの柔軟性がかなり減少する傾向がある。しかしながら、脈管閉塞コイルを所望の場所に配置してコイル特性を活用するためにはコイル自体が極めて柔軟であることが必要であるので、このような柔軟性の減少は解決すべき重要問題である。
【００１０】
【課題を解決するための手段】
本発明は、脈管内の所定部位に塞栓コイルを配置するために使用され、塞栓コイルが脈管内における所定位置に移動できるように当該コイルを保持するための先端部を有する細長い柔軟なカテーテルを備えている脈管閉塞コイル配置システムに関する。このカテーテルは、カテーテルの全長にわたって延在する内孔部を有し、かつ、カテーテルの内部に約９０ポンド／平方インチ（ｐｓｉ）乃至４５０ポンド／平方インチ（ｐｓｉ）の流体圧力が加わえられるとカテーテル先端部の壁部が外側または半径方向に拡張して当該カテーテル先端部の内孔部が増大するようなジュロメータ(durometer)を有する材料から形成された先端部を備えている。また、上記塞栓コイルの基端部はカテーテルの先端部の内孔部の中に収容されて当該カテーテルの先端部によって保持されている。さらに、シリンジのような液圧インジェクタがカテーテルの基端部に連結してカテーテルの内部に一定の流体圧力を加えるように構成されている。コイルが脈管内の所望位置に配置されると、液圧インジェクタによりカテーテルの内部に流体圧力が加えられてカテーテル先端部の壁部が外側に拡張し、これによって、コイルが脈管内に配置される。
【００１１】
カテーテル先端部により保持されたコイルの基端部が延伸したり解けたりしないようにしてコイル放出前にコイルの尚早な放出を防止するために、当該コイルの基端部は、コイルの隣接巻線を一体に「係止（lock）」してそのような延伸や解けを防止する態様に修飾されている。このコイルは基端部、先端部およびこれらの間に延在する内孔部を有するきつく巻かれた螺旋状コイルの形態を採るのが好ましい。このコイルはシールプラグを備えており、このシールプラグは当該コイルの基端部においてコイル内孔部の中に液密状態で配置されている。加えて、上記コイルはサポートワイヤを備えており、このワイヤはコイルの長さよりも実質的に短い長さでコイル内孔部の中心軸に沿って延在している。この場合、サポートワイヤの一端部は上記シールプラグに固定されており、その他端部はコイルの先端部から実質的に離れた一定の点におけるコイル巻線の少なくとも1本に固定されている。このような構成によって、コイルの基端部とサポートワイヤが固定されている上記コイル上の一定の点との間のコイルの全ての巻線が互いに固定され、これによって、コイルを極めて柔軟にしたままその基端部の延伸や解けが防止できる。
【００１２】
本発明の別の態様によれば、上記柔軟性カテーテルは基端部分と比較的短い先端部分から構成されている。この基端部分は、人体の脈管系を通過するのに十分柔軟、かつ、カテーテル内部に約９０ｐｓｉ乃至４５０ｐｓｉの流体圧力が加えられた時に外側への拡張に本質的に抵抗するジュロメータを有する材料から形成されている。一方、カテーテルの先端部分は、人体の脈管系を通過するのに十分柔軟であるが、上記基端部分のジュロメータよりも実質的に低い値で、カテーテル内部に上記のような流体圧力が加わると外側すなわち半径方向に拡張する特性を有していて塞栓コイルの放出を可能にするようなジュロメータを有する材料から形成されている。本発明のさらに別の態様によれば、上記カテーテルの先端部分は約２５Ｄ乃至５５Ｄの範囲のジュロメータを有している。
【００１３】
さらに、本発明の別の態様によれば、上記塞栓コイルが基端部、先端部およびこれらの間に延在する内孔部を有する螺旋状コイルから構成されている。さらに、シールプラグがコイルの基端部の内孔部内に液密係合状態で配置されている。また、このコイルの基端部は上記カテーテルの先端部分の内孔部内に液密に配置されて後の放出のために当該カテーテルの内孔部によって保持されている。
【００１４】
本発明の別の態様においては、上記カテーテル内部に一定流体圧力を加えるための液圧インジェクタがカテーテルの基端部に連結したシリンジの形態を採っており、ピストンにより移動して、カテーテル内部に加える流体圧力を発生することにより塞栓コイルを放出する。本発明のさらに別の態様によれば、上記塞栓コイルは脈管フィルタのような他の種類の移植可能なインプラント装置の形態を採ることができる。
【００１５】
さらに、本発明の別の態様においては、人体の脈管内における所定部位に塞栓コイルを配置するための方法が、カテーテルを人体の脈管系内に進入させてカテーテル先端部の内孔部内に保持される塞栓コイルを所定部位に配置する工程と、カテーテルの内部に一定の流体圧力を加えてカテーテルの先端部を半径方向に沿って外側に拡張することにより上記所定部位において塞栓コイルを放出する工程と、脈管系からカテーテルを退去させる工程とから構成されている。
【００１６】
従って、本発明の上記コイル構成によれば、コイル基端部の延伸や解けが防止できるので、コイル放出前にコイルをカテーテル配備システムから尚早に放出することが防げる。上記本発明の態様およびそれらの利点は以下の添付図面に基づく本発明の好ましい実施形態の詳細な説明によりさらに明らかとなる。
【００１７】
【発明の実施の形態】
図１は本発明による脈管閉塞コイル配備システム１００の概略図であり、同システム１００はカテーテル１０４の基端部に連結する液圧インジェクタまたはシリンジ１０２から構成されている。塞栓コイル１０６はカテーテルの先端部１０８の内孔部の中に配置されている。このコイル１０６の基端部は、配備システム１００がコイル放出のために起動するまで、カテーテル１０４の先端部分１０８の内孔部の中に保持されている。図示のように、シリンジ１０２はネジ部を設けたピストン１１０を備えており、このピストン１１０はハンドル１１２により制御されて流体をカテーテル１０４の内部に注入するように構成されている。さらに、図示の如く、カテーテル１０４は翼部を有するハブ１１４を備えており、このハブ１１４はカテーテルの人体脈管系内への挿入を補助する。
【００１８】
図２はカテーテル１０４の先端部をより詳細に示している図である。同図に示すように、カテーテル１０４は基端部分１１６と先端部分１０８を有しており、塞栓コイル１０６の基端部分１１８がカテーテルの先端部分１０８の中に配置されていて、コイル放出の前に先端部分１０８の内孔部１２０の中に保持されている。図２から分かるように、同図示の脈管閉塞コイル配備システムはシリンジ部のピストンの起動前、すなわち、コイル放出前の状態が示されている。
【００１９】
塞栓コイル１０６は種々の形態および構成を採ることができ、不規則に巻かれたコイルの形態を採ることも可能であるが、図２に示すような螺旋状に巻かれたコイルの場合は、このコイルは溶接ビーズまたはシールプラグ１２２を備えていて、このプラグ１２２がコイル１０６の全長にわたって延在する内孔部１２３の中に配置されている。このシールプラグ１２２はコイル１０６の内孔部の中に流体が流れるのを防ぐように作用して、コイル１０６が内孔部１２０と液密係合している時に、このコイルがカテーテル１０４の先端部において液密シールを形成するように構成されている。液体シリコーン材１３０ａがサポートワイヤ１３０を囲む空間内に注入されて、コイルの内孔部の基端部を満たす。このシリコーン材はその後硬化されてコイルの基端部を封じてコイル巻線の間からの液漏れを防ぐ。なお、この硬化物は柔軟性を保持しており、コイル基端部も柔軟性を有している。
【００２０】
好ましくは、カテーテル１０４の基端部分１１６および先端部分１０８は異なるジュロメータを有する材料により形成されている。すなわち、基端部分１１６は約６２Ｄ乃至７５Ｄの範囲のジュロメータを有するＰｅｂａｘ材により形成されているのが好ましい。つまり、この基端部分は人体の脈管系を通過するのに十分柔軟であるが、カテーテルのこの部分の内部に約９０ｐｓｉ乃至４５０ｐｓｉの流体圧力が加えられた時に、この部分の壁部の半径方向の拡張が、たとえあっても、極めて僅かである程度に十分な剛性を有している。一方、カテーテルの先端部分１０８は比較的低いジュロメータを有するポリマー材により形成されているのが好ましく、この材料はカテーテル内部に約９０ｐｓｉ乃至４５０ｐｓｉの流体圧力が加えられると、先端部分１０８の壁部が、バルーンの膨張と同様に、半径方向に拡張してコイル１０６の基端部１１８を放出するような特性を有している。もちろん、カテーテル１０４の基端部分１１６および先端部分１０８を形成するために多くの材料を使用することが可能であるが、先端部分１０８は２５Ｄ乃至５５Ｄの範囲のジュロメータを有するＰｅｂａｘのようなブロックコポリマーにより形成されているのが好ましく、４０Ｄがより好ましいジュロメータの値である。
【００２１】
図３および図４は脈管閉塞カテーテル配備システムの動作におけるコイル放出機構を概略的に示している図である。特に、図３に示すように、カテーテル１０４の内部１２４に液圧が加わると、カテーテルの比較的低いジュロメータの先端部１０８は、膨張過程においてバルーンが膨張するのと同程度に、半径方向に拡張し始める。このようにして、先端部分１０８が半径方向に拡張し続けて図４に示すような状態になると、コイル１０６が先端部分１０８の内孔部から離脱して、カテーテルから放出されると共に脈管内の所望の場所に配備される。
【００２２】
さらに、図５に示すように、コイル１０６がカテーテル１０４から放出されると、カテーテルはコイルを所望部位に残したまま引き戻すことができる。
【００２３】
さらに図６に示すように、脈管閉塞または塞栓コイル１０６はプラチナ合金線を巻いてきつく巻かれた螺旋状形態に形成されている。この線の直径は一般に約０．００１５インチ乃至０．００８インチの範囲である。また、コイルの外径は約０．００６インチ乃至０．０５５インチの範囲であるのが好ましい。なお、図６における特定の塞栓コイル１０６は直線状コイルとして示されているが、当該塞栓コイルが種々の形態を採ることが可能であり、例えば、螺旋形、不規則形状またはコイル内コイルの形態を採ることが可能である。
【００２４】
本出願に開示するコイル配備システムの実施形態によれば、塞栓コイル１０６の基端部における最初の数巻がコイル移動時にカテーテルの先端部によってその形態を保持されることが分かる。例えば、コイルを脈管内の特定の位置に移動した後にその脈管内のより近位側の位置にコイルを引き戻すことが必要になる場合がしばしばある。このようなコイルの脈管内における移動、特に、コイルが脈管内のより近位側の位置に後退する間に、コイルの巻線が延伸したり解けたりすることが起こり得る。さらに、配備カテーテルの先端部により保持されたコイルの巻線が延伸したり解ける場合には、コイルの外径が減少してコイル自体が配備システムから尚早に放出されることになる。
【００２５】
したがって、上記コイル１０６の基端部の延伸や解けを防止するために、プラチナサポートワイヤ１３０が基端側のシールプラグ１２２に溶接されている。また、このプラチナサポートワイヤ１３０の他端部はカテーテルの基端部に比較的近い一定の位置においてコイルの巻線の１本に溶接により結合している。好ましくは、この塞栓コイル１０６は約１．５cm乃至３０ｃｍの長さを有している。また、サポートワイヤの長さは約０．５ｍｍ乃至約４ｍｍの範囲で、その直径は０．０００７インチ乃至０．００２インチの間である。このような構成において、塞栓コイル１０６の全体の柔軟性は維持されると共に、コイルの把持部における延伸または解けを防止するための手段が備えられている。なお、上記の基端側シールプラグは溶接されたビーズでよく、このビーズはサポートワイヤ１３０の端部に形成されている。また、サポートワイヤははんだ付け、溶接または適当な接着剤により溶接ビーズおよびコイルの巻線に取り付けることができる。さらに、このサポートワイヤはポリマーまたは複合材料を含む種々の異なる材料により形成できる。この場合、サポートワイヤ１３０を囲む空間部に液体シリコーン材１３０ａを注入してコイルの内孔部における基端部を充たす。その後、このシリコーン材を硬化してコイルの基端部を封じることによりコイル巻線の間の液体漏れを防止する。
【００２６】
従って、本発明の脈管閉塞コイル配備システムによれば、塞栓コイルを脈管内の所望の場所に極めて正確に配置することが可能になる。さらに、コイルがカテーテルの使用により所望位置に配置されると、カテーテルの内部に一定の液体圧力をかけることにより、当該カテーテルが作動してコイルを所望位置に極めて正確に放出して配置する。
【００２７】
なお、当該技術分野における熟練者であれば、上記実施形態の多くの変更および変形が可能であり、例えば、多数のコイル巻形態または脈管フィルタのような他種の移植装置を含むコイルの多数の変形および変更が可能である。また、上記カテーテル先端部を拡張するためにカテーテル内部の圧力を増加するための他の多くの圧力発生システムを含むカテーテル内部に液圧を加えるためのシリンジ構成の各種変形も明らかである。すなわち、本発明が関係する技術分野における熟練者であれば、これらの変更態様は明らかであり、これらの変更態様は本明細書に記載する特許請求の範囲によって限定される。
【００２８】
本発明の具体的な実施態様は以下の通りである。
（１）前記塞栓コイルの長さが約１．５ｃｍ乃至３０ｃｍの範囲内であり、前記サポートワイヤの長さが約０．５ｍｍ乃至４ｍｍの範囲内である請求項１に記載の脈管閉塞コイル配備システム。
（２）前記カテーテルの基端部分が人体の脈管を通過するのに十分柔軟な材料から形成され、かつ、カテーテルの内部に約９０ｐｓｉ乃至４５０ｐｓｉの流体圧力が加わる時にほとんど半径方向に拡張しない特性を呈するジュロメータを有する材料により形成されており、前記カテーテルの先端部分が人体の脈管を通過するのに十分柔軟な材料から形成され、かつ、前記基端部分のジュロメータよりも実質的に低いジュロメータを有する材料により形成されている請求項１に記載の脈管閉塞コイル配備システム。
（３）前記カテーテルの先端部分が約２５Ｄ乃至５５Ｄの範囲内のジュロメータを有するポリマーにより形成されている実施態様（２）に記載の脈管閉塞コイル配備システム。
（４）前記カテーテルの先端部分が約４０Ｄのジュロメータを有する実施態様（２）に記載の脈管閉塞コイル配備システム。
（５）前記カテーテルの基端部分が６２Ｄ乃至７５Ｄの範囲内のジュロメータを有するポリマーにより形成されている実施態様（３）に記載の脈管閉塞コイル配備システム。
【００２９】
（６）前記塞栓コイルの長さが約１．５ｃｍ乃至３０ｃｍの範囲内であり、前記サポートワイヤの長さが約０．５ｍｍ乃至４ｍｍの範囲内である請求項２に記載の脈管閉塞コイル配備システム。
（７）前記カテーテルの基端部分が人体の脈管を通過するのに十分柔軟な材料から形成され、かつ、カテーテルの内部に約９０ｐｓｉ乃至４５０ｐｓｉの流体圧力が加わる時にほとんど半径方向に拡張しない特性を呈するジュロメータを有する材料により形成されており、前記カテーテルの先端部分が人体の脈管を通過するのに十分柔軟な材料から形成され、かつ、前記基端部分のジュロメータよりも実質的に低いジュロメータを有する材料により形成されている実施態様（６）に記載の脈管閉塞コイル配備システム。
（８）前記カテーテルの先端部分が約２５Ｄ乃至５５Ｄの範囲内のジュロメータを有するポリマーにより形成されている実施態様（７）に記載の脈管閉塞コイル配備システム。
（９）前記カテーテルの先端部分が約４０Ｄのジュロメータを有する実施態様（７）に記載の脈管閉塞コイル配備システム。
（１０）前記カテーテルの基端部分が約６２Ｄ乃至７５Ｄの範囲内のジュロメータを有するポリマーにより形成されている実施態様（８）に記載の脈管閉塞コイル配備システム。
【００３０】
（１１）前記塞栓コイルの長さが約１．５ｃｍ乃至３０ｃｍの範囲内であり、前記サポートワイヤの長さが約０．５ｍｍ乃至４ｍｍの範囲内である請求項３に記載の脈管閉塞コイル配備システム。
（１２）前記カテーテルの基端部分が人体の脈管を通過するのに十分柔軟な材料から形成され、かつ、カテーテルの内部に約９０ｐｓｉ乃至４５０ｐｓｉの流体圧力が加わる時にほとんど半径方向に拡張しない特性を呈するジュロメータを有する材料により形成されており、前記カテーテルの先端部分が人体の脈管を通過するのに十分柔軟な材料から形成され、かつ、前記基端部分のジュロメータよりも実質的に低いジュロメータを有する材料により形成されている実施態様（１１）に記載の脈管閉塞コイル配備システム。
（１３）前記カテーテルの先端部分が約２５Ｄ乃至５５Ｄの範囲内のジュロメータを有するポリマーにより形成されている実施態様（１２）に記載の脈管閉塞コイル配備システム。
（１４）前記カテーテルの先端部分が約４０Ｄのジュロメータを有する実施態様（１２）に記載の脈管閉塞コイル配備システム。
【００３１】
【発明の効果】
以上説明したように、本発明によれば、塞栓コイルを確実に保持して脈管内における所定位置に安全かつ正確に移動することができる脈管閉塞コイル配置システムが提供できる。
【図面の簡単な説明】
【図１】本発明の液圧式脈管閉塞コイル配備システムの拡大部分断面図である。
【図２】コイルの配備前の状態の上記コイル配備システムにおける先端部を示す拡大部分断面図である。
【図３】塞栓コイル放出時のコイル配備システムにおける先端部の半径方向の拡張の一工程を示している図である。
【図４】図３の工程に続くコイル配備システムにおける先端部の半径方向の拡張の別の工程を示している図である。
【図５】塞栓コイル放出後のコイル配備システムの先端部を示している図である。
【図６】本発明のコイル保持構造を示す部分的断面図である。
【符号の説明】
１００  脈管閉塞コイル配備システム
１０２  シリンジ
１０４  カテーテル
１０６  塞栓コイル
１０８  カテーテル先端部分
１１６  カテーテル基端部分
１２０  カテーテル内孔部
１３０  サポートワイヤ
【図１】
0003930189.tif 000002
【図２】
0003930189.tif 000003
【図３】
0003930189.tif 000004
【図４】
0003930189.tif 000005
【図５】
0003930189.tif 000006
【図６】
0003930189.tif 000007